(57)【要約】      （修正有）【課題】挿入接続台体と金属ケース体を迅速に組立て可能なパソコン用カードの構造を提供する。【解決手段】主に金属ケース体１、絶縁フレーム体２、挿入接続台体３により構成する。金属ケース体は上ケース体１１、下ケース体１２を具え、金属ケース体は相対し絶縁フレーム体外部に固設する。絶縁フレーム体内部には設置空間２３を設置し、設置空間内には回路板４を設置する。回路板上には複数の端子４１を設置し、複数の端子は絶縁フレーム体片側の接続部２２に延伸する。接続部は嵌合槽２２１に設置し、接続部を利用し挿入接続台体を嵌設し固定する。接続部の複数の端子は挿入接続台体の槽孔内に進入し、挿入接続台体のロック体は接続部の嵌合槽に嵌入する。さらに接触リムにより接続部底側において固定し、絶縁フレーム体片側において挿入接続台体を迅速に組み合わせることが可能である。【選択図】図２
0003113128.tif 000002
【実用新案登録請求の範囲】
【請求項１】
主に挿入接続台体と金属ケース体とを迅速に組立て可能にすべく、金属ケース体、絶縁フレーム体、挿入接続台体により構成し、
前記金属ケース体は上ケース体、下ケース体を具え、該上ケース体、該下ケース体を相対させ該絶縁フレーム体外部に固設し、
前記絶縁フレーム体内部には設置空間を設置し、該設置空間内には回路板を設置し、該回路板上には複数の端子を設置し、
前記絶縁フレーム体片側には嵌合槽を具えた接続部を設置し、該接続部の両側にはロック体と接触リムを具えた挿入接続台体を嵌設して所定位置に固定し、かつ、該挿入接続台体内部は該回路板の複数の端子を嵌入可能な槽孔を設置し、該挿入接続台体は該絶縁フレーム体の接続部に嵌合し、繰返し分解、組立て可能としたことを特徴とするパソコン用カードの構造。
【請求項２】
前記金属ケース体の上ケース体両側には複数の係合持部を設置し、前記下ケース体両側には複数の嵌合部を設置することを特徴とする請求項１記載のパソコン用カードの構造。
【請求項３】
前記絶縁フレーム体両側には複数の係合槽を設置し、該係合槽内には係合体を設置することを特徴とする請求項１記載のパソコン用カードの構造。
【考案の詳細な説明】
【技術分野】
【０００１】
本考案は一種のパソコン用カードの構造に関する。特に、挿入接続台体と金属ケース体を迅速に組立て可能で、スロットカードケース体の挿入接続台体を絶縁フレーム体片側に迅速に設置するパソコン用カードの構造に係る。
【背景技術】
【０００２】
コンピュータ技術の急速な発展により、デスクトップＰＣ、ノートＰＣは社会の至る所に普及し、使用者は情報を得るため、或いは文書を送信するために、コンピュータネットワークを利用している。さらにインターネットテクノロジーは情報の獲得と伝送が迅速であるという特性を具えるため、現代生活においては個人或いは企業の必須のリソースの一つとなっている。
一方、コンピュータはネットワークを使用するためインターネットを接続し使用するコネクタを設置する必要があり、ノートＰＣではネットカードにより接続し、オンライン機能を達成する。
このノートＰＣに使用するネットカードは、通常はスロットカードケース体に挿入設置し、ノートＰＣの回路上に固定する。また、このスロットカードケース体はＰＣＭＣＩＡカード、ＣＦカード、或いはパウム型コンピュータ、デジカメのメモリカードなどに利用されている。
【０００３】
例えば、特許文献１に開示され、図７に示すように、公知のスロットカードケース体Ａは上台体Ａ１、下台体Ａ２を具える。該上台体Ａ１は上金属ケース体Ａ１１、上スロットカードケース体Ａ１２、上挿入接続部Ａ１２１を設置する。該下台体Ａ２は下金属ケース体Ａ２１、下スロットカードケース体Ａ２２、下挿入接続部Ａ２２１を設置する。
組立て時には、先ず該上台体Ａ１の該上金属ケース体Ａ１１と該上スロットカードケース体Ａ１２を組合せ、該下台体Ａ２の下金属ケース体Ａ２１と該下スロットカードケース体Ａ２２を組合わせる。こうして、該上台体Ａ１、該下台体Ａ２は組み合わされスロットカードケース体Ａを構成する。
【特許文献１】特開平８−２６７９７１号公報
【考案の開示】
【考案が解決しようとする課題】
【０００４】
前記スロットカードケース体の構造は、設計が不適当であるため使用においては以下のように様々な欠点がある。
すなわち、上台体、下台体の構造は体積が大きく、使用材料も多いため、加工作業が煩雑になり、製造コストと製造時間を増加させている。
また、上台体の上金属ケース体は先ず上スロットカードケース体と組合せ、該下台体の下金属ケース体は該下スロットカードケース体と組合せ、初めて該上台体と該下台体は組み合わされるため、組立て工程が多くかつ困難であるため、歩留を低くしている。
さらに上台体、下台体の型式が固定であるため、特定のメモリカードにしか適用することができず、実用性に乏しい。
加えて上台体は上金属ケース体、上スロットカードケース体を具え、下台体は下金属ケース体、下スロットカードケース体を具えるため、その構成部品が多く、スロットカードケース体の厚みを増す結果になっており、昨今の電子製品に求められる「よりコンパクトで軽量に」というニーズに合致しない。
また上挿入接続部は上スロットカードケース体に一体成型し、下挿入接続部は下スロットカードケース体に一体成型するため、分解或いは組立てが不可能で、再利用することもできない。
本考案は、上記の点に鑑みてなされたもので、迅速に組立て可能であって、体積が小さく製造も容易であり、構成部品が少なく、繰返し分解、組立てが可能な、上記従来構造の問題点を解決したパソコン用カードの構造を提供するものである。
【課題を解決するための手段】
【０００５】
上記課題を解決するため、本考案は下記のパソコン用(Express)カードの構造を提供する。
それは主に挿入接続台体と金属ケース体とを迅速に組立て可能にすべく、金属ケース体、絶縁フレーム体、挿入接続台体により構成し、該金属ケース体は上ケース体、下ケース体を具え、該上ケース体、該下ケース体を相対させ該絶縁フレーム体外部に固設し、該絶縁フレーム体内部の設置空間内には回路板を設置し、該回路板上の複数の端子は該絶縁フレーム体片側の接続部に延伸し、該接続部には嵌合槽を設置し、該接続部を利用し挿入接続台体を嵌設、定位し、該接続部の複数の端子は該挿入接続台体の槽孔内に進入し、該挿入接続台体両側のロック体は該接続部の嵌合槽に嵌入し、さらに接触リムにより該接続部底側において固定し、該絶縁フレーム体片側において該挿入接続台体を迅速に組み合わせる目的を達成し、該金属ケース体の上ケース体両側には複数の係合持部を設置し、該下ケース体両側には複数の嵌合部を設置し、該各係合持部と該嵌合部に対応し、該絶縁フレーム体両側には複数の係合槽を設置し、該係合槽内には係合体を設置し、該金属ケース体の係合持部、嵌合部を利用し、該絶縁フレーム体の係合槽に嵌固し、該金属ケース体を該絶縁フレーム体外部に固設することを特徴とするパソコン用カードの構造である。
【０００６】
すなわち、請求項１の考案は、挿入接続台体と金属ケース体とを迅速に組立て可能にすべく、金属ケース体、絶縁フレーム体、挿入接続台体により構成し、前記金属ケース体は上ケース体、下ケース体を具え、該上ケース体、該下ケース体を相対させ該絶縁フレーム体外部に固設し、前記絶縁フレーム体内部には設置空間を設置し、該設置空間内には回路板を設置し、該回路板上には複数の端子を設置し、前記絶縁フレーム体片側には嵌合槽を具えた接続部を設置し、該接続部の両側にはロック体と接触リムを具えた挿入接続台体を嵌設して所定位置に固定し、かつ、該挿入接続台体内部は該回路板の複数の端子を嵌入可能な槽孔を設置し、該挿入接続台体は該絶縁フレーム体の接続部に嵌合し、繰返し分解、組立て可能としたことを特徴とするパソコン用カードの構造である。
請求項２の考案は、前記金属ケース体の上ケース体両側には複数の係合持部を設置し、前記下ケース体両側には複数の嵌合部を設置することを特徴とする請求項１記載のパソコン用カードの構造である。
請求項３の考案は、前記絶縁フレーム体両側には複数の係合槽を設置し、該係合槽内には係合体を設置することを特徴とする請求項１記載のパソコン用カードの構造である。
【考案の効果】
【０００７】
上記のように、本考案の挿入接続台体は一体成型され、体積が小さく製造も容易であるため、製造コストを低下させ、加工速度を向上させることができる。また挿入接続台体はロック体と接触リムを利用し、絶縁フレーム体の接続部に嵌設し、迅速かつ便利な組立ての目的を達成する。さらに、挿入接続台体は単独で製造、成型されるため、異なるメモリカードに対応する絶縁フレーム体を使用することができ、使用範囲が広く実用性に優れている。加えてスロットカードケース体は金属ケース体、絶縁フレーム体、挿入接続台体により構成されるため、構成部品が少なく、よってスロットカードケース体の体積、厚みを減少させることができ、昨今の電子製品に求められる「よりコンパクトで軽量に」というニーズに合致し、実用性も高い。さらに、挿入接続台体は絶縁フレーム体の接続部に嵌合するため、繰返し分解、組立てが可能である。
【考案を実施するための最良の形態】
【０００８】
図１、２、３に示すように、本考案は金属ケース体１、絶縁フレーム体２、挿入接続台体３により構成する。
前記金属ケース体１は、上ケース体１１、下ケース体１２を具え、該上ケース体１１両側には複数の係合持部１１１を設置する。該各係合持部１１１には嵌合持孔１１２を設置し、該下ケース体１２の両側には複数の嵌合部１２１を設置する。
前記絶縁フレーム体２は、両側のアーム２１上に複数の係合槽２１１を設置する。該各係合槽２１１内には係合体２１２を設置する。該2本のアーム２１片側には接続部２２を設置し、該接続部２２には嵌合槽２２１を設置する。
前記挿入接続台体３内部には貫通した槽孔３１を具え、該槽孔３１の両側にはそれぞれロック体３２、接触リム３３を設置する。
【０００９】
組立て時には、該金属ケース体１の該上ケース体１１、該下ケース体１２を相対させ該絶縁フレーム体２外部に設置し、該上ケース体１１の複数の係合持部１１１を利用し、該絶縁フレーム体２両側のアーム２１の係合槽２１１内に嵌設する。かつ、該下ケース体１２は両側の嵌合部１２１により該両側のアーム２１において嵌設し、該両側のアーム２１片側の接続部２２において、該挿入接続台体３を嵌設、定位する。すなわち、該挿入接続台体３両側のロック体３２は該接続部２２の該嵌合槽２２１内に嵌設され、かつ底部の該接触リム３３は該接続部２２底側において接触固定する(図４、５を合わせて参照)。こうして該挿入接続台体３は該絶縁フレーム体２の接続部２２に迅速に組み合わされ、該挿入接続台体３は該接続部２２位置において分解、組立てが可能となる。
【００１０】
次に、図２、３、４、５、に示すように、該金属ケース体１は該上ケース体１１において、該係合持部１１１により該絶縁フレーム体２両側のアーム２１の該係合槽２１１に嵌入する。さらに、該係合持部１１１の嵌合持孔１１２により該係合槽２１１の係合体２１２を係合固定し、該上ケース体１１を該絶縁フレーム体２の外部に緊密に固定する。続いて、該金属ケース体１を利用し、該絶縁フレーム体２外部に固設後、該絶縁フレーム体２内部の設置空間２３において回路板４を設置する。該回路板４は片側において複数の端子４１を設置し、該複数の端子４１は該絶縁フレーム体２片側の接続部２２位置まで延伸し、さらに該挿入接続台体３の槽孔３１に進入する。こうして、該端子４１は該挿入接続台体３の槽孔３１を利用し、電子製品の制御装置のコネクタと接続し、該複数の端子４１は電気的接続を形成し、電子信号の伝送が可能となる。
さらに、該挿入接続台体３は該回路板４の片側に固設し、該挿入接続台体３を該絶縁フレーム体２の接続部２２に嵌合することもできる。これにより、該回路板４は該設置空間２３内に収容され、該回路板４は該設置空間２３内部において固定され移動することはない。
【００１１】
したがって、本実施例の挿入接続台体は一体成型され、体積が小さく製造も容易であり、また、挿入接続台体はロック体と接触リムを利用し、絶縁フレーム体の接続部に嵌設し、迅速かつ組立てが簡便であり、さらに、挿入接続台体は単独で製造、成型されるため、異なるメモリカードに対応する絶縁フレーム体を使用することができ、使用範囲が広い。加えてスロットカードケース体は金属ケース体、絶縁フレーム体、挿入接続台体により構成されるため、構成部品が少なく、よってスロットカードケース体の体積、厚みを減少させることができる。さらに、挿入接続台体は絶縁フレーム体の接続部に嵌合するため、繰返し分解、組立てが可能である。
【００１２】
次に、図６に示すように、本考案はメモリカードの型式に応じて、様々な型式の金属ケース体１と絶縁フレーム体２を設計することができる。
例えば、該絶縁フレーム体２の片側に接続部２２を設置し、該接続部２２を利用し該挿入接続台体３を嵌設し、こうして異なる型式のメモリカードに使用する目的を達成することができる。
なお、本考案の特徴を損なうものでなければ、上述した実施例に限定されないことは勿論である。
【図面の簡単な説明】
【００１３】
【図１】本考案の実施例の立体外観図である。
【図２】本考案の実施例の立体分解図である。
【図３】本考案の実施例の平面図である。
【図４】図３のＡ-Ａ位置における側面断面図である。
【図５】図３のＢ-Ｂ位置における側面断面図である。
【図６】本考案の他の実施例の立体分解図である。
【図７】従来公知のスロットカードケースの立体分解図である。
【符号の説明】
【００１４】
１  金属ケース体
１１  上ケース
１２  下ケース
１１１  係合持部
１２１  嵌合部
１１２  嵌合持孔
２  絶縁フレーム体
２１  アーム
２２  接続部
２１１  係合槽
２２１  嵌合槽
２１２  係合体
２３  設置空間
３  挿入接続台体
３１  槽孔
３３  接触リム
３２  ロック体
４  回路板
４１  端子
A  スロットカードケース体
Ａ１  上台体
Ａ２  下台体
Ａ１１  上金属ケース体
Ａ２１  下金属ケース体
Ａ１２  上スロットカードケース体
Ａ２２  下スロットカードケース体
Ａ１２１  上挿入接続部
Ａ２２１  下挿入接続部
【図１】
0003113128.tif 000003
【図２】
0003113128.tif 000004
【図３】
0003113128.tif 000005
【図４】
0003113128.tif 000006
【図５】
0003113128.tif 000007
【図６】
0003113128.tif 000008
【図７】
0003113128.tif 000009